(57)【要約】【課　　題】本発明は、ハーブの薬理活性成分が有する薬理活性を享受することができる布帛、および該布帛を用いた繊維製品を提供することを目的とする。【解決手段】ウコン、オニオン、オレガノ、カモマイル、クローブ、コリアンダー、シナモン、ジンジャー、セージ、セントジョーンズワート、タイム、バジル、フェンネル、ホップ、ラベンダー、レモングラス、レモンバーム、ローズマリー、ローレル、アカジソ、ローズ、イチョウ、エゾウコギ、カンゾウ、キャッツクロー、ビルベリー、トウガラシ、ニンジンおよびルイボスからなる群から選択される一種または二種以上のハーブの薬理活性成分が、その薬理活性を奏するに十分な量付与されている布帛。【選択図】　なし【特許請求の範囲】
【請求項１】
ウコン、オニオン、オレガノ、カモマイル、クローブ、コリアンダー、シナモン、ジンジャー、セージ、セントジョーンズワート、タイム、バジル、フェンネル、ホップ、ラベンダー、レモングラス、レモンバーム、ローズマリー、ローレル、アカジソ、ローズ、イチョウ、エゾウコギ、カンゾウ、キャッツクロー、ビルベリー、トウガラシ、ニンジンおよびルイボスからなる群から選択される一種または二種以上のハーブの薬理活性成分が、その薬理活性を奏するに十分な量付与されている布帛。
【請求項２】
薬理活性を奏するに十分な量が、布帛１ｃｍ２あたり１μｇ以上であることを特徴とする請求項１に記載の布帛。
【請求項３】
請求項１または２に記載の布帛を含む繊維製品。
【発明の詳細な説明】
【０００１】
【発明の属する技術分野】
本発明は、ハーブの薬理活性成分が付与されている機能性布帛、および該布帛を含む繊維製品に関する。
【０００２】
【従来の技術】
ハーブには種々の薬理活性成分が含まれていることが知られている。従来は、医薬品や食品として摂取したり、皮膚外用剤として肌に塗布したりすることにより、薬理活性成分が発揮する薬理活性を享受していた。また、ハーブは、前記のような医薬品や食品、皮膚外用剤に用いられているだけでなく、布帛を染色するための染料としても用いられている（特許文献１〜３）。しかし、ハーブによる布帛の染色は、合成染料にない自然な色彩を出すことを目的としてなされていた。
【０００３】
【特許文献１】
特開２０００−２３４２７８号公報
【特許文献２】
特開平１０−６０７８５号公報
【特許文献３】
特開平１０−１２０９２９号公報
【０００４】
【発明が解決しようとする課題】
本発明は、ハーブの薬理活性成分が有する薬理活性を享受することができる布帛、および該布帛を用いた繊維製品を提供することを目的とする。
【０００５】
【課題を解決するための手段】
本発明者らは、ハーブ染料で染色された布帛について検討を重ねた結果、ハーブの薬効成分を摂取したり、肌に塗布したりしなくても、着用するだけで前記ハーブの薬理活性成分が有する薬理活性を享受することができるという知見を得た。より具体的には、布帛に１ｃｍ２あたり１μｇ以上のハーブの薬理活性成分を付与させることによって、前記薬理活性成分が有する薬理活性を享受することができる。
本発明者らは、さらに検討を重ねて本発明を完成した。
【０００６】
すなわち、本発明は、
（１）　ウコン、オニオン、オレガノ、カモマイル、クローブ、コリアンダー、シナモン、ジンジャー、セージ、セントジョーンズワート、タイム、バジル、フェンネル、ホップ、ラベンダー、レモングラス、レモンバーム、ローズマリー、ローレル、アカジソ、ローズ、イチョウ、エゾウコギ、カンゾウ、キャッツクロー、ビルベリー、トウガラシ、ニンジンおよびルイボスからなる群から選択される一種または二種以上のハーブの薬理活性成分が、その薬理活性を奏するに十分な量付与されている布帛、
（２）　薬理活性を奏するに十分な量が、布帛１ｃｍ２あたり１μｇ以上であることを特徴とする前記（１）に記載の布帛、および、
（３）　前記（１）または（２）に記載の布帛を含む繊維製品、
に関する。
【０００７】
また、本発明は、
（４）　ウコン、クローブ、シナモンおよびルイボスからなる群から選択される一種または二種以上のハーブの薬理活性成分が、その薬理活性を奏するに十分な量付与されている布帛、
（６）　薬理活性が抗菌性である前記（６）に記載の布帛、
（７）　前記（６）に記載の布帛を含む繊維製品、
（８）　ウコンの薬理活性成分および／またはルイボスの薬理活性成分が、その薬理活性を奏するに十分な量付与されている布帛、
（９）　薬理活性が、アトピー性皮膚炎の予防または／および治療効果である前記（８）に記載の布帛、
（１０）　前記（９）に記載の布帛を含む繊維製品、
（１１）　前記（９）に記載の布帛または前記（１０）に記載の繊維製品を用いることを特徴とするアトピー性皮膚炎の予防または／および治療方法、
（１２）　シナモンの抗白癬菌作用成分が、その作用を発揮するに十分な量付与されている布帛、
（１３）　前記（１２）に記載の布帛を含む繊維製品、
（１４）　前記（１２）に記載の布帛または前記（１３）に記載の繊維製品を用いることを特徴とする水虫の予防または／および治療方法、
に関する。
【０００８】
【発明の実施の形態】
本発明で用いるハーブとしては、ウコン（ターメリックともいう）、オニオン、オレガノ、カモマイル、クローブ、コリアンダー、シナモン、ジンジャー（ショウガともいう）、セージ、セントジョーンズワート、タイム、バジル、フェンネル、ホップ、ラベンダー、レモングラス、レモンバーム、ローズマリー、ローレル、アカジソ、ローズ、イチョウ、エゾウコギ、カンゾウ、キャッツクロー、ビルベリー、トウガラシ、ニンジンおよびルイボスからなる群から選択される一種または二種以上を用いることが好ましい。
【０００９】
本発明の布帛に付与されるハーブの薬理活性成分は特に限定されない。ここで、薬理活性とは広い意味での薬理活性であり、抗黴活性、抗菌活性または抗酸化活性なども含まれる。具体的に、ハーブの薬理活性成分としては、下記の成分が挙げられる。例えば、ウコンから得られる薬理活性成分としては、クルクミン、ターメロン、α−フェランドレン、ｄ−クルクメン、カリオフィレン、β−ビサボレン、シネオールまたはβ−ジンギベレンなどが挙げられる。オニオンから得られる薬理活性成分としては、ケルセチン、アルキルチオスルフィネート、ジ−ｎ−プロピル−ジサルファイドまたはメチル−ｎ−プロピル−ジサルファイドなどが挙げられる。オレガノから得られる薬理活性成分としては、チモール、カルバクロール、オリガネン、ロズマリン酸、リナロール、サビネン、メチルシャビコール、ボルネオール、α−ピネンまたはα−テルピネオールなどが挙げられる。カモマイルから得られる薬理活性成分としては、カマアズレン、前駆体プロアズレン、ビサボロール、マトリシン、ビサボロルオキシド、スパスレノルまたはルテオリンなどが挙げられる。
【００１０】
クローブから得られる薬理活性成分としては、オイゲノール、アセチルオイゲノール、カリオフィレン、サリチル酸メチル、フルフラール、メチル−ｎ−アミル・ケトンまたはバニリンなどが挙げられる。コリアンダーから得られる薬理活性成分としては、ｄ−リナロール、ゲラニオール、ゲラニオールアセテート、α，β−ピネン、ｐ−サイメン、カンフェン、γ−テルピネンまたはボルネオールなどが挙げられる。シナモンから得られる薬理活性成分としては、シナミックアルデヒド、オイゲノール、α−ピネン、カリオフィレン、タンニンなどが挙げられる。ジンジャーから得られる薬理活性成分としては、ショーガオール、ｌ−ジンギベレン、ジンゲロール、ジンギベレン、β−セスキフェランドレン、β−ビサボレン、α−カンフェンまたはα−フェランドレンなどが挙げられる。
【００１１】
セージから得られる薬理活性成分としては、ツヨン、シネオール、ボルネオール、リナロール、カンファー、カルノシン酸、フェノール酸、タンニン、サルベン、カンフェン、リモネンまたはα−ピネンなどが挙げられる。セントジョーンズワートから得られる薬理活性成分としては、ヒペリシンまたはルテオリンなどが挙げられる。タイムから得られる薬理活性成分としては、チモール、カルバクロール、ｐ−サイメン、ミルセン、β−ピネン、リモネン、リナロール、タンニン、アミルアルコールまたはα−ピネンなどが挙げられる。
【００１２】
バジルから得られる薬理活性成分としては、リナロール、メチルカビコール、オイゲノール、チモール、メチルイソオイゲノール、タンニン、サポニン、シネオール、サイメン、ミルセンまたはボルネオールなどが挙げられる。フェンネルから得られる薬理活性成分としては、アネトール、エストラゴール、ｌ−リモネン、α−ピネン、ｄ−α−フェランドレン、ｄ−フェンコン、カンフェン、ｄ−ピネン、エストラゴールまたはアニスアルデヒドなどが挙げられる。ホップから得られる薬理活性成分としては、フムロン、ルプロン、コフムロン、コルプロン、イソフムロンまたはフムリノンなどが挙げられる。ラベンダーから得られる薬理活性成分としては、酢酸リナロール、β−ピネン、オシメン、α−テルピネオール、リナロール、ｌ−リナリルアセテート、テルピネン−４−オール、カンファー、ボルネオール、酢酸ラバンディル、１，８−シネオールまたはゲラニオールなどが挙げられる。
【００１３】
レモングラスから得られる薬理活性成分としては、シトラール、ネロール、シトロネラール、酢酸ゲラニル、リモネン、ミルセン、ジベンテン、ゲラニオールまたはα−テルピネオールなどが挙げられる。レモンバームから得られる薬理活性成分としては、シトラール、タンニン、シトロネロール、ゲラニオール、リナロール、ネロールまたはロスマリン酸などが挙げられる。ローズマリーから得られる薬理活性成分としては、１，８−シネオール、ボルネオール、α−ピネン、ロスマリン酸、カルノシン酸、カンフェン、リモネン、リナロール、カンファー、カリオフィレン、フムレンまたはα−テルピネオールなどが挙げられる。
【００１４】
ローレルから得られる薬理活性成分としては、ゲラニオール、シネオール、オイゲノール、リナロール、ピネン、フェランドレン、メチルオイゲノールまたはタンニン酸などが挙げられる。アカジソから得られる薬理活性成分としては、ベリルアルデヒド、シソニン、ロスマリン酸、アントシアニン配糖体、ルテオリンまたはエレミシンなどが挙げられる。ローズから得られる薬理活性成分としては、ビタミンＣ、カロチノイド、タンニン、ゲラニオール、シトロネロール、フェネチルアルコール、オイゲニンなどが挙げられる。
【００１５】
イチョウから得られる薬理活性成分としては、ケンフェロールもしくはクエルセチンなどのフラボノイドに糖が結合したフラボノイド配糖体、またはギンコライドなどのテルペノイドなどが挙げられる。エゾウコギから得られる薬理活性成分としては、リグナン、クマリンまたはサポニンなどが挙げられる。カンゾウから得られる薬理活性成分としては、フラボノイド、トリテルペノイド、カルコンまたは多糖類などが挙げられる。キャッツクローから得られる薬理活性成分としては、オキシインドールアルカノイド、トリテルペノイドまたはステロールなどが挙げられる。
【００１６】
ビルベリーから得られる薬理活性成分としては、アントシアニン（アントシアニジン配糖体）などが挙げられる。トウガラシから得られる薬理活性成分としては、カプサイシンなどの辛味成分、β−カロテンやカプサンチンなどのカロチノイド、サポニンなどが挙げられる。ニンジンから得られる薬理活性成分としては、オレアナン系、ダマラン系、ジオール系、トリオール系などのサポニン、アセチレン化合物などが挙げられる。ルイボスから得られる薬理活性成分としては、オリエンチン、イソオリエンチン、ルチン、ケルセチンルテオリンなどのフラボノイド、タンニン、コーヒー酸またはウロン酸などが挙げられる。
【００１７】
本発明にかかる布帛は、上記のようなハーブの薬理活性成分がその薬理活性を奏するに十分な量付与されていることを特徴とする。前記「薬理活性を奏するに十分な量」とは、ハーブの薬理活性成分の種類および使用目的などに応じて適宜決定することができる。具体的には、布帛１ｃｍ２あたり１μｇ以上、より好ましくは約１〜４μｇ程度のハーブの薬理活性成分が付与されている布帛が好ましい。
ハーブの薬理活性成分の定量は、該成分の種類によって公知の定量方法から適宜選択することができる。具体的には、例えば、本発明にかかる布帛から適当な溶媒を用いてハーブの薬理活性成分を抽出し、抽出された該成分を公知の定量方法を用いて定量する。公知の定量方法としては、例えばガスクロマトグラフィーや液体クロマトグラフィーなどの各種クロマトグラフィーまたは吸光光度分析法などが挙げられる。より具体的には、液体クロマトグラフィーとしては、高速液体クロマトグラフィー（ＨＰＬＣ）などが挙げられる。
【００１８】
ハーブの薬理活性成分を抽出するための溶媒としては、特に限定されず、例えば、水；メタノール、エタノール、ｎ−プロパノール、ｉ−プロパノール、ｎ−ブタノール、ｉ−ブタノール、ｓｅｃ−ブタノール、ｔ−ブタノール、ｎ−オクタノール、２−ブチル−オクタノール、ラウリルアルコール、シクロヘキサノールなどの一価アルコール類のみならず、例えばエチレングリコール、プロピレングリコール、グリセリンなどの二ないし多価アルコールなどのアルコール類；エチルエーテル、プロピルエーテル、イソプロピルエーテル、ジメトキシエタン、環状エーテル（例えば、ジオキサン、テロラヒドロフランなど）、モノまたはジアルキレングリコールモノアルキルエーテル（例えば、エチレングリコールモノメチルエーテルなど）などのエーテル類；アセトン、メチルエチルケトン、メチルイソブチルケトン、シクロヘキサノンなどのケトン類；酢酸エチル、酢酸ブチル、ラウリン酸ｎ−ブチルなどのエステル類；四塩化炭素、クロロホルム、ジクロロメタン、１，２−ジクロロエタンなどのハロゲン炭化水素類；ヘキサン、オクタンなどの脂肪族炭化水素類；シクロヘキサン、シクロヘプタンなどの脂環式炭化水素類；ベンゼン、トルエン、キシレンなどの芳香族炭化水素類；アセトニトリルなどのニトリル類；ギ酸、酢酸、オレイン酸などのカルボン酸類；Ｎ，Ｎ−ジメチルホルムアミド、ジメチルスルホキシド、ピリジンなどの非プロトン性極性溶媒などが挙げられる。これらの溶媒は二種以上混合して用いてもよい。
【００１９】
「ハーブの薬理活性成分が付与されている」とは、上記のような１種以上のハーブの薬理活性成分が付与されている場合はもちろん、ハーブまたはハーブの処理物が付与されていることにより結果的にハーブの薬理活性成分が付与されている場合も含まれる。前記ハーブの処理物はハーブに対して何らかの処理をしたものであればよく、具体的には、粉砕物、破砕物、摩砕物、濃縮物、乾燥物、凍結乾燥物または抽出物などが挙げられる。
【００２０】
本発明にかかる布帛がハーブまたはハーブの処理物が付与されている布帛である場合、前記ハーブとしては、全草、葉、実、果実、樹皮、果皮、根茎、花穂または種子などを使用することができる。なかでも、ハーブがオニオンである場合、鱗茎を使用することが好ましい。ハーブがウコンである場合、根茎を使用することが好ましい。ハーブがオレガノである場合、葉または茎、特に葉を使用することが好ましい。ハーブがカモマイルである場合、花を使用することが好ましい。ハーブがクローブである場合、蕾を使用することが好ましい。ハーブがコリアンダーである場合、種子を使用することが好ましい。ハーブがシナモンである場合、樹皮を使用することが好ましい。ハーブがジンジャーである場合、根茎を使用することが好ましい。ハーブがセージである場合、葉を使用することが好ましい。ハーブがセントジョーンズワートである場合、葉を使用することが好ましい。ハーブがタイムである場合、茎葉を使用することが好ましい。ハーブがバジルである場合、葉を使用することが好ましい。ハーブがフェンネルである場合、種子を使用することが好ましい。ハーブがホップである場合、包葉（雌花）を使用することが好ましい。ハーブがラベンダーである場合、花を使用することが好ましい。
【００２１】
ハーブがレモングラスである場合、茎葉を使用することが好ましい。ハーブがレモンバームである場合、葉を使用することが好ましい。ハーブがローズマリーである場合、葉、花または茎、特に葉を使用することが好ましい。ハーブがローレルである場合、葉を使用することが好ましい。ハーブがアカジソである場合、葉を使用することが好ましい。ハーブがローズである場合、花弁または果実を使用することが好ましい。イチョウである場合、葉を使用することが好ましい。エゾウコギである場合、根、茎、枝もしくは葉、特に根を使用することが好ましい。カンゾウである場合、葉もしくはストロンを使用することが好ましい。キャッツクローである場合、樹皮もしくは葉を使用することが好ましい。ビルベリーである場合、果実を使用することが好ましい。トウガラシである場合、成熟果実を使用することが好ましい。ニンジンである場合、根もしくは根茎を使用することが好ましい。ルイボスである場合、葉を使用することが好ましい。
【００２２】
本発明にかかる布帛は、公知の繊維から構成されていてよい。公知の繊維は、天然繊維であっても、化学繊維であってもよい。天然繊維としては、例えば綿や麻などのセルロース繊維に代表される植物繊維、または羊毛やカシミアなどの毛もしくは絹などの動物繊維などが挙げられる。化学繊維としては、レーヨンもしくはリヨセルなどの再生繊維；アセテートなどの半合成繊維；ポリオレフィン系、ポリアミド系、ポリエステル系、ポリアクリロニトリル系、ポリビニルアルコール系、ポリ塩化ビニル系、ポリ塩化ビニリデン系、ポリウレタン系もしくはフェノール系などの合成繊維等が挙げられる。本発明にかかる布帛は、２種以上の繊維が混合されて構成されていてもよい。
【００２３】
本発明にかかる布帛は、公知の方法を用いて容易に製造することができる。具体的には、例えば、（ａ）ハーブの薬理活性成分を含有する溶液または分散液に布帛を浸漬するという方法、（ｂ）ハーブの薬理活性成分を含有する溶液または分散液に糸を浸漬し、ハーブの薬理活性成分が付与された糸を用いて布帛を作製するという方法、（ｃ）糸を紡糸する際に糸にハーブの薬理活性成分を付与し、ハーブの薬理活性成分が付与された糸を用いて布帛を作製するという方法が挙げられる。中でも（ａ）の方法が好ましい。以下、各方法について詳細に述べる。
【００２４】
上記（ａ）の方法において使用する「ハーブの薬理活性成分を含有する溶液または分散液」としては、（ｉ）ハーブの抽出液、（ｉｉ）粒子状のハーブを溶媒に分散させた分散液、（ｉｉｉ）ハーブの抽出液をマイクロカプセル化したものを溶媒に分散させた分散液または（ｉｖ）精製されたハーブの薬理活性成分を溶解させた溶液もしくは分散させた分散液などが挙げられる。
前記（ｉ）におけるハーブの抽出液は、連続式またはバッチ式などの公知の方法により、任意の時間、冷浸または温浸などして得ることができる。また、ハーブの抽出液は、例えば、常圧、減圧、不活性ガス置換、分配抽出、臨界抽出などの抽出方法によっても得られる。具体的には、例えば、ハーブを細切後、抽出溶媒に室温で約１〜約５０時間、穏やかに攪拌しながら抽出し、濾過または遠心分離して抽出液を得る。さらに、抽出残渣について同様の抽出操作を約１〜４回繰り返し、これらの抽出液を合わせてもよい。また、得られた抽出液を減圧あるいは限外濾過などで濃縮した濃縮物を用いることもできる。抽出に用いる溶媒は、上述した本発明にかかる布帛からハーブの薬理活性成分を抽出する際に用いる溶媒を用いればよい。
【００２５】
前記（ｉｉ）における粒子状のハーブは、生のハーブ、凍結乾燥などによる乾燥ハーブまたはハーブを抽出する際に得られる抽出残渣を粉砕、破砕または摩砕したものが挙げられる。粉砕、破砕、摩砕は、例えばコミトロールなどの公知装置を用いて容易に行うことができる。
前記（ｉｉｉ）におけるハーブの抽出液をマイクロカプセル化したものは、上述のようにして得られるハーブの抽出液から、例えば界面重合法、ｉｎ−ｓｉｔｕ法、相分離法、液中硬化被覆法、液中乾燥法または噴霧・造粒法等の公知の方法を用いて容易に得ることができる。また、市販品を用いてよい。
【００２６】
前記（ｉｉ）および（ｉｉｉ）で用いる分散媒は、特に限定されず、公知の溶媒を用いてよい。前記分散媒として、具体的には、例えば上述したようなハーブの抽出の際に使用する溶媒が挙げられる。また、粒子状のハーブを繊維により強固に固着させるために、（１）天然ないし人造糊などと呼ばれる水溶性高分子物質溶液、または（２）水溶性樹脂を溶解して得られる樹脂水溶液もしくは樹脂を乳化重合して得られる樹脂水分散液などを、分散媒として用いることができる。前記（２）で用いる樹脂としては、水溶性若しくは水に乳化分散可能な公知のウレタン樹脂、エポキシ樹脂、アクリル樹脂、ポリエステル樹脂もしくは変性シリコン樹脂、またはこれら２種以上の混合物などが挙げられる。樹脂水溶液または樹脂水分散液中の樹脂濃度は、約０．０１〜１０重量％程度が好ましい。
【００２７】
前記（ｉｖ）における精製されたハーブの薬理活性成分としては、例えばハーブ抽出液などから精製されたものであってもよいし、化学合成されたものであってもよい。かかるハーブの薬理活性成分を溶解させるための溶媒または分散させるための分散媒としては、特に限定されず、公知の溶媒または分散媒を用いてよい。
【００２８】
上記のようなハーブの薬理活性成分を含有する溶液または分散液には、ハーブの薬理活性成分をより強固に繊維に固着させるために媒染剤を含有させてもよい。媒染剤としては、特に限定されず公知のものを用いてよいが、例えば灰汁、鉄、みょうばん、アルミニウム、タンニン酸、カゼインまたはグリシニンなどが挙げられる。また、前記溶液または分散液には、柔軟剤、平滑剤または抗菌剤などの公知の添加剤を含有してもよい。
【００２９】
上記のようなハーブの薬理活性成分を含有する溶液または分散液に、布帛を浸漬させる条件は、布帛の種類またはハーブの薬理活性成分の種類などにより異なるので一概には言えず、適宜選択することができる。具体的には、（ｉ）ハーブの抽出液を用いる場合は、前記抽出液を約５０〜１２０℃、好ましくは６０〜１００℃、より好ましくは８０〜９０℃に加熱し、加熱された前記抽出液に布帛を約２０分〜２時間程度浸漬する。また、（ｉｉ）または（ｉｉｉ）の分散液を用いる場合は、約１０〜２００℃、好ましくは約２０〜１５０℃、より好ましくは約２０〜７０℃に加熱した前記分散液に布帛を浸漬する。
【００３０】
本方法においては、ハーブの薬理活性成分を含有する溶液または分散液に布帛を浸漬させる前に、布帛を前処理に付すことが好ましい。前処理としては、例えば、毛焼、糊抜、精練、漂白、マーセル化（シルケットともいう。）またはヒートセットなどが挙げられる。前処理として、これらの処理を複数組み合わせてもよい。これらの処理は、公知の方法および条件に従って容易に行うことができる。
【００３１】
前記精練の方法としては、例えば、ソーダ精練またはキア精練などが挙げられる。本発明にかかる布帛が綿や麻などのセルロース繊維から構成されている場合、精練としてバイオ精練を用いることが好ましい。バイオ精練は、セルロース繊維からペクチン物質を遊離しうる酵素（プロトペクチナーゼ）の１種以上を含有する酵素液に、セルロース繊維からなる布帛を浸漬して処理することにより行われる。酵素液による処理条件（酵素の濃度、温度、処理時間など）は、処理される布帛の種類、処理後の対象に望まれる特性、使用される酵素の種類などによって適宜決定される。具体的には、例えば、約１〜５０００ユニット／ｍｌの濃度の酵素液に、約３０〜５５℃の温度下で約０．５〜２４時間程度、セルロース繊維からなる布帛を浸漬する。前記酵素液は、リン酸緩衝液等の緩衝液でｐＨを５〜１０程度に調整したものを用いるのが好ましい。なお、プロトペクチナーゼ１ユニットとは、レモンの皮のアルベド層を分解し、１時間に１μｍｏｌのガラクチュロン酸に相当する量のペクチンを遊離させる酵素量として定義される量である。
【００３２】
前記酵素としては、トリコスポロン属、エンドマイセス属、エンドマイコプシス属、サッカロマイセス属、シゾサッカロマイセス属、ピヒア属、ハンセヌラ属、デバリオマイセス属、ハンセニアスポラ属、トルロプシス属、カンジダ属、クルイベロマイセス属、バチルス属、アスペルギルス属、リゾープス属およびトラメテス属の微生物が生産するプロトペクチナーゼが好適に用いられる。なかでも、クルイベロマイセス・マルキシアヌス（ＩＦＯ　０２７７）、クルイベロマイセス・フラギリス（ＩＦＯ０２８８）、トリコスポロン・ペニシレータム　ＳＮＯ−３（ＡＴＣＣ　４３３９７）、ガラクトマイセス・リーシＬ（ＩＡＭ　１２９）、バシラス・サブチリス（ＩＦＯ　１２１１３）、バチルス・サブチリス（ＩＦＯ　３１３４）およびトラメテス・サンジーナ（ＩＦＯ　６４９０）が生産するプロトペクチナーゼが好ましい。
【００３３】
バイオ精練において、上記酵素液中に油脂分解酵素が含有されていてもよい。該油脂分解酵素としては、油脂分解酵素であればいずれの酵素を用いてもよいが、キャンディダ・ルゴサまたはアスペルギルス・ニガーより抽出されたリパーゼが特に好ましい。酵素は１種類を用いてもよいし、２種以上を混合して用いてもよい。酵素液中の油脂分解酵素の濃度は、約１〜４５００ユニット／ｍｌとするのが好ましい。ここで１ユニットとはオリーブ油を分解して１分間に１μｍｏｌの脂肪酸を遊離させる酵素量として定義される量である。
【００３４】
前処理としては、先媒染加工も挙げられる。先媒染加工とは、上述したような媒染剤で布帛を予め処理しておくことをいう。先媒染加工は、公知の条件にしたがって容易に行うことができる。
また、前処理として、布帛を構成する繊維のカチオン化処理が挙げられる。カチオン化処理は、公知方法に従ってよく、例えば特開昭６２−２３８８８５号公報（草木染料）、特開昭６２−２５０２８７号公報（草木染料）、特開昭６３−１２７８３号公報（草木染料）、特開平４−２１４４７９号公報（アニオン染料）、特開平４−２５７３７７号公報（草木染料）等に開示されている。
【００３５】
本方法においては、ハーブの薬理活性成分を含有する溶液または分散液に布帛を浸漬させた後、ハーブの薬理活性成分を布帛により強固に定着させ、布帛使用時のハーブの薬理活性成分の脱落を極力避けるために後処理を施すことが好ましい。
後処理としては加熱処理が挙げられる。加熱処理としては、高温高圧水蒸気による処理、高温常圧水蒸気による処理、高温の乾熱処理などが挙げられる。加熱処理の条件は、布帛を構成する繊維の種類またはハーブの薬理活性成分の種類に応じて適宜選択することができる。例えば、乾熱処理は、約９０〜１６０℃の温度下で約１〜３０分間かけて行う。
また後処理としては、接着性樹脂を布帛に塗布または含浸し、ついで所望により加熱するという処理も挙げられる。接着性樹脂としては、特に限定されず、公知の樹脂を用いてよいが、例えばウレタン系接着剤などが挙げられる。
さらに、後処理としては、本発明の布帛を構成する繊維に応じて選択することができる。例えば、本発明の布帛を構成する繊維がポリビニルアルコール系繊維の場合、熱処理後に、ホルマール化処理及びグルタルアルデヒド処理などを行ってもよい。
【００３６】
本発明にかかる布帛の製造方法のうち、（ｂ）ハーブの薬理活性成分を含有する溶液または分散液に糸を浸漬し、ハーブの薬理活性成分が付与された糸を用いて布帛を作製するという方法において、ハーブの薬理活性成分が付与された糸は、布帛の代わりに布帛を構成する糸を用いること以外は、上記方法と全く同様にして得ることができる。
得られるハーブの薬理活性成分が付与された糸を用いて布帛を作製する方法は、特に限定されず公知の方法を用いてよい。例えば、前記糸を、例えば平織、朱子織、綾織、横縞織、からみ織または斜こ織などすることにより、織物を得ることができる。また、前記糸を、例えば平編み、ゴム編みもしくはパール編みなどの横編み、シングルデンビー編みもしくはシングルデンビー編みなどの縦編み、またはレース編み等することにより、編物を得ることができる。
【００３７】
本発明にかかる製造方法のうち、（ｃ）糸を紡糸する際に糸にハーブの薬理活性成分を付与し、ハーブの薬理活性成分が付与された糸を用いて布帛を作製するという方法において、糸を紡糸する際に糸にハーブの薬理活性成分を付与する方法としては、例えば下記の方法が挙げられる。紡糸原液にハーブの薬理活性成分を加え、さらに必要に応じ水で希釈して、適当な濃度及び粘度を有する紡糸原液を調製する。この原液には、所望により、抗菌剤、防カビ剤、防臭剤などを適宜添加してもよい。次に、繊維の製造において従来慣用されている紡糸方法を用い、前記紡糸原液を紡糸することにより、ハーブの薬理活性成分を含有する糸が得られる。ここで、紡糸原液にハーブの薬理活性成分を加える際には、上記（ａ）の方法において使用する「ハーブの薬理活性成分を含有する溶液または分散液」を用いればよい。
得られるハーブの薬理活性成分が付与された糸を用いて布帛を作製する方法は、上記と同一である。
【００３８】
以上のようにして得られる本発明にかかる布帛は、種々の用途の繊維製品に使用することができる。本発明にかかる繊維製品としては、例えば、衣類；ハンカチ、アクセサリー、リボン類、タオル、布巾、ワイピングクロス（靴磨き、床磨き、眼鏡拭き等）もしくはのれんなどの家庭用雑貨；毛布、シーツ、ベッドカバー、枕カバー、布団もしくは座布団など寝装寝具用品；カーペット、カーテンもしくは壁紙などの家具・インテリア用品；ガーゼ、マスクもしくはキャップなどの医療資材；手芸洋裁用材料などのホビー用品などが挙げられる。本発明にかかる繊維製品は、本発明にかかる布帛のみから構成されていてもよいし、衣類の一部のみに使用されていてもよい。
【００３９】
本発明にかかる布帛を衣類に使用する場合は、下着、肌着、靴下、ストッキング、Ｔシャツ、ズボンまたはスカートなど肌に直接接し得る衣類に用いられることが好ましい。また、ハーブの薬理活性成分が防黴、防虫または抗菌作用を有する場合は、コートやセーターなどの上着に用いることも好ましい。
【００４０】
本発明にかかる布帛および繊維製品を着用するだけで、ハーブの薬理活性成分が有する効能を享受することができる。
例えば、ウコン成分が付与されている布帛および繊維製品は、アトピーの予防、緩和もしくは治療作用、抗菌作用、肌荒れの予防、緩和もしくは治療作用、鎮静作用（癒し）、肝臓機能強化作用、抗酸化作用、内分泌系亢進作用、生体酵素の調整作用またはガンの抑制作用を有する。オニオン成分が付与されている布帛および繊維製品は、血糖もしくは血中脂質を減少させる効果、免疫賦活作用または血小板凝固および血栓形成素子作用を有する。オレガノ成分が付与されている布帛および繊維製品は、抗菌作用、抗酸化作用または内蔵機能強化作用を有する。カモマイル成分が付与されている布帛および繊維製品は、鎮痛・鎮静作用、抗炎症作用、発汗作用、駆風作用、解熱作用または抗鬱作用を有する。クローブ成分が付与されている布帛および繊維製品は、鎮静・抑制作用、抗菌作用、抗酸化作用を有する。コリアンダー成分が付与されている布帛および繊維製品は、抗菌作用、整腸作用を有する。
【００４１】
シナモン成分が付与されている布帛および繊維製品は、整腸作用、腸蠕動運動亢進作用、鎮静・抑制作用または抗菌作用を有する。ジンジャー成分が付与されている布帛および繊維製品は、抗アレルギー作用、抗炎症作用、抗潰瘍活性、抗酸化作用または抗菌作用を有する。セージ成分が付与されている布帛および繊維製品は、抗酸化作用または抗菌作用を有する。セントジョーンズワート成分が付与されている布帛および繊維製品は、抗ウィルス作用、抗アレルギー作用または抗炎症作用を有する。タイム成分が付与されている布帛および繊維製品は、抗菌作用、抗真菌作用、抗黴作用、収斂作用または抗アレルギー作用を有する。
【００４２】
バジル成分が付与されている布帛および繊維製品は、抗菌作用、抗酸化作用または鎮咳作用を有する。フェンネル成分が付与されている布帛および繊維製品は、抗菌作用、消化促進作用、食欲増進、鎮咳作用、腸蠕動運動亢進作用または緊張亢進効果を有する。ホップ成分が付与されている布帛および繊維製品は、抗菌作用、または健胃作用を有する。ラベンダー成分が付与されている布帛および繊維製品は、鎮痛・鎮静作用または抗菌作用を有する。レモングラス成分が付与されている布帛および繊維製品は、鎮痛・鎮静作用、抗炎症作用、血管拡張作用、抗ガン作用、抗菌作用または虫除け効果を有する。
【００４３】
レモンバーム成分が付与されている布帛および繊維製品は、鎮静作用、緊張緩和作用、不眠症改善作用、抗アレルギー作用、発汗作用または解熱作用を有する。ローズマリー成分が付与されている布帛および繊維製品は、抗酸化作用、抗菌作用、抗真菌作用、抗炎症作用、血糖低下作用または鎮静作用を有する。ローレル成分が付与されている布帛および繊維製品は、鎮痛・消炎作用、健胃作用、抗酸化作用または抗菌作用を有する。アカジソ成分が付与されている布帛および繊維製品は、抗アレルギー作用、抗炎症作用、解熱作用または抗菌作用を有する。ローズ成分が付与されている布帛および繊維製品は、抗アレルギー作用、抗炎症作用、抗ウィルス作用または抗不安作用を有する。
【００４４】
イチョウ成分が付与されている布帛および繊維製品は、抗酸化作用、血流改善作用、血流増加作用、ＰＡＦ阻害作用、虚血状態に対する抵抗力増加、精神安定作用などを有する。エゾウコギ成分が付与されている布帛および繊維製品は、抗疲労作用、抗ストレス作用、免疫機能の向上作用などを有する。カンゾウ成分が付与されている布帛および繊維製品は、抗潰瘍作用、鎮痙作用、鎮咳作用、抗炎症作用、抗アレルギー作用、中枢抑制作用、副腎皮質ホルモン様作用、性ホルモン様作用、解毒作用、肝障害改善作用、抗ウィルス作用、インターフェロン誘起作用などを有する。キャッツクロー成分が付与されている布帛および繊維製品は、リウマチ改善作用、抗炎症作用、抗アレルギー作用、免疫力改善および増強作用などを有する。
【００４５】
ビルベリー成分が付与されている布帛および繊維製品は、視覚機能改善作用、循環機能改善作用、抗酸化作用、抗炎症作用などを有する。トウガラシ成分が付与されている布帛および繊維製品は、食欲増進作用、消化促進作用、唾液分泌促進作用、強壮作用、抗菌作用、血管拡張作用、降圧作用などを有する。ニンジン成分が付与されている布帛および繊維製品は、抗ストレス作用、抗疲労作用、抗不安作用、抗腫瘍作用、中枢抑制作用、中枢興奮作用、新陳代謝促進作用、線溶活性化作用、血小板凝集抑制作用、免疫賦活作用、ＨＤＬ−コレステロール増加作用などを有する。ルイボス成分が付与されている布帛および繊維製品は、抗酸化作用、抗菌作用、抗ウィルス作用、抗鬱作用、血流増加作用、アトピー性皮膚炎をはじめとするアレルギー性疾患の予防または／および治療効果を有する。
【００４６】
【実施例】
（実施例１　濃色ウコン染色布の作製）
バイオ精練済みの綿ユカタ地（幅３７ｃｍ、長さ５ｍ、１８４．２ｇ）を折り畳んでちょうど浸かる程度の角型ステンレス容器に入れ、ウコンエキスＥ４（０．４％ｏｗｆ、約０．７３６８ｇ）を少量（浴液量の１０容量％、約７３．６ｍＬ）の９９．５重量％エタノールで溶解し、浴比１：４になるよう精製水で７３６．８ｍＬに希釈した染色液を注いだ。そして、ポリ手袋をした手で染色液が浸透するよう、揉みながら撹拌しつつ、５０℃前後まで昇温した。そのまま３０分から１時間恒温染色後、遠心脱水、乾燥した。アイロンを用いてプレス仕上げを行い、表面のしわを取り除いた。かかるプレス仕上げは、必ずしも行う必要はない。このようにして本発明にかかる布帛を得た。
【００４７】
（実施例２　中色ウコン染色布の作製）
ウコンエキスの濃度を１／４、すなわち０．１％ｏｗｆにした以外は、実施例１と全く同様にして、本発明にかかる布帛を得た。
【００４８】
（実施例３　淡色ウコン染色布の作製）
ウコンエキスの濃度を１／１０、すなわち０．０４％ｏｗｆにした以外は、実施例１と全く同様にして、本発明にかかる布帛を得ることができた。
【００４９】
（実施例４　ウコン染色布の作製）
ウコン末０．４％ｏｗｆを常温で浴比１：４になるよう精製水で分散させ、被染物（実施例１と全く同様の綿ユカタ地）に注ぎ、５５℃に昇温後、３０分間恒温染色し、５０℃で熱風乾燥、水洗処理を行った。このようにして本発明にかかる布帛を得た。
【００５０】
（実施例５　ウコン染色布の作製）
５０℃で熱風乾燥する代わりに２０℃で自然乾燥し、かつ、その後の水洗処理を行わなかったこと以外は、実施例４と全く同様にして本発明にかかる布帛を得た。
【００５１】
（実施例６　ウコン染色布の作製）
実施例４と全く同様の処理を行ったのち、得られた布帛にセラック１重量％をＮａＯＨ１重量％で溶解した液を付与し、ついで乾燥し、さらに１重量％酢酸による中和、水洗、５０℃での再乾燥を行い、本発明にかかる布帛を得た。
【００５２】
（実施例７　ウコン染色布の作製）
ウコンエキス０．４％ｏｗｆを常温で浴比１：４になるよう９９．５重量％エタノールに溶解させ、被染物（実施例１と全く同様の綿ユカタ地）に注ぎ、５５℃に昇温後、３０分間恒温染色し、２０℃で自然乾燥した。このようにして本発明にかかる布帛を得た。
【００５３】
（実施例８　ハーブの薬理活性成分の測定）
実施例１で得られたウコン染色布をエタノール１５０ｍＬでソックスレー抽出を４時間行い、抽出液にエタノールを加え総量を２００ｍＬにした溶液について下記条件でＨＰＬＣ測定を行った。検量液として、クルクミンが１００ｐｐｍの濃度で含有されているエタノール溶液を用いた。
2004100083.tif 000002
【００５４】
＜ＵＶ・ＶＩＳスペクトル測定条件＞
測定装置；分光光度計（島津製作所社製　ＵＶ−１６００）
セル；光路長１０ｍｍ　石英ガラス製
測定波長；２００〜６５０ｎｍ
試料濃度；約１０ｐｐｍ
【００５５】
３枚のウコン染色布について測定したクルクミン含量の測定結果を下記表に示す。
【表１】
2004100083.tif 000003
【００５６】
（実施例９　シナモン染色布の作製）
ウコンエキスＥ４の代わりに、シナモンエキス（株式会社カネカサンスパイス社製）を用いて、実施例１と全く同様にして本発明にかかるシナモン染色布を得た。
【００５７】
（実施例１０　ルイボス染色布の作製）
ウコンエキスＥ４の代わりに、ルイボスエキス（株式会社カネカサンスパイス社製）を用いて、実施例１と全く同様にして本発明にかかるルイボス染色布を得た。
【００５８】
（実施例１１　クローブ染色布の作製）
ウコンエキスＥ４の代わりに、クローブエキス（株式会社カネカサンスパイス社製）を用いて、実施例１と全く同様にして本発明にかかるクローブ染色布を得た。
【００５９】
（試験例１　大腸菌に対する抗菌作用）
Ｅｓｃｈｅｒｉｃｈｉａ　ｃｏｌｉ　ＩＦＯ　３９７２を、０．２重量％肉エキス加普通ブイヨン（栄研化学株式会社製）で３７℃２４時間培養した。これら試験菌液を約１０６／ｍＬとなるように普通寒天培地（栄研化学株式会社製）に加え、シャーレ（直径９０ｍｍ）に１５ｍＬずつ分注し固化させて、試験用寒天平板を作製した。
実施例１で得られたウコン染色布、実施例９で得られたシナモン染色布、実施例１０で得られたルイボス染色布および実施例１１で得られたクローブ染色布を、それぞれ直径８ｍｍの円形状に切断し、試験用寒天平板の中央に載せた。シャーレの周囲をビニルテープで巻いて密封した後、３７℃２４時間培養後、染色布周囲の生育阻止体（ハロー）の有無を観察した。比較例として、ハーブで染色されていない布について、同一の試験を行った。
【００６０】
試験結果を下記表に示す。表に示したハローの幅は、次式；Ｗ＝（Ｔ−Ｄ）／２（式中、Ｗはハローの幅（ｍｍ）、Ｔは染色布の長さの合計（ｍｍ）、Ｄは染色布の長さ（ｍｍ）を示す。）により算出した。
【００６１】
（試験例２　黄色ブドウ球菌に対する抗菌作用）
Ｅｓｃｈｅｒｉｃｈｉａ　ｃｏｌｉ　ＩＦＯ　３９７２の代わりに、Ｓｔａｐｈｙｌｏｃｏｃｃｕｓ　ａｕｒｅｕｓ　ｓｕｂｓｐ．　ａｕｒｅｕｓ　ＩＦＯ　１２７３２を用いること以外は、試験例１と全く同様にして黄色ブドウ球菌に対する抗菌作用を測定した。
その結果を下記表に示す。
【００６２】
【表２】
2004100083.tif 000004
表中、−はハローを認めなかったことを、＋はハローを認めたことを表す。
【００６３】
（試験例３　アトピー性皮膚炎に対する治療効果）
発明者の周りでアトピー性皮膚炎に悩んでいる人３名に、実施例１で得られたウコン染色布で作製した下着を３０日間着用させる。前記３名のうち２名で、炎症面積の５０〜１００％が減少し、症状の有意な改善が見られる。
また、アトピー性皮膚炎に悩んでいる人で、上記とは異なる人３名に、実施例１０で得られたルイボス染色布で作製した下着を３０日間着用させる。前記３名のうち２名で、炎症面積の５０〜１００％が減少し、症状の有意な改善が見られる。
【００６４】
（試験例４　水虫に対する治療効果）
発明者の周りで白癬菌の感染に悩んでいる人５名に、実施例９で得られたシナモン染色布で作製した靴下を３０日間着用させる。前記５名のうち３名で、感染面積の５０〜１００％が減少し、症状の有意な改善が見られる。
【００６５】
【発明の効果】
本発明にかかる布帛および繊維製品によれば、医薬品や食品として摂取したり皮膚外用薬として肌に塗布したりしなくても、着用するだけでハーブの薬理活性成分が発揮する薬理活性を享受することができる。